【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
エポキシ樹脂；
カチオン性化合物またはカチオン性化合物を形成できる化合物或いはそれらの混合物の群から選択される反応体；
式（Ｉ）：
【化１】
2009537684.tif 000001
［式中、Ｒ１およびＲ２は、相互に独立に、水素、或いは１〜２０個の炭素原子の鎖長を有する置換または非置換アルキル基であり；
Ｒａ〜Ｒｈは、相互に独立に、水素、置換または非置換アルキルまたはアリール、置換または非置換アルコキシ、或いはハロゲンから選択されるか、若しくはＲａ〜Ｒｄおよび／またはＲｅ〜Ｒｈから選択される２個の隣接する基Ｒは更なる芳香環を形成し；
Ｒ３は、酸素置換されていてよい１、２または３個の炭素原子数を有するアルキル架橋であり；中心環状酸素架橋環が少なくとも７個の原子を含有するならば、Ｒ３は存在せずに酸素とその酸素に隣接する芳香環との間に直接結合を生じ得；
Ｒ４は、
・酸素置換されていてよい１、２または３個の炭素原子数を有する置換または非置換アルキル架橋、
・酸素、
・硫黄、および酸化硫黄（＝ＳＯ、ＳＯ２）、
・水素或いは置換または非置換アルキルまたはアリールまたはアルコキシで置換された窒素
から選択され；
・中心環状酸素架橋環が少なくとも７個の原子を含有するならば、Ｒ４は存在せずに２個の芳香環の間に直接結合を生じ得る。］
で示される、少なくとも２個の芳香族中心およびその少なくとも２個の芳香族中心を結合する少なくとも１個の中心環状酸素架橋環を含有する、少なくとも１種の化合物
を含んでなる硬化性エポキシ組成物。
【請求項２】
少なくとも２個の芳香族中心の少なくとも１個がベンゼンまたはナフテンである、請求項１に記載の組成物。
【請求項３】
式（Ｉ）で示される少なくとも１種の化合物中の中心環状酸素架橋環が少なくとも７個の原子を含有する、請求項１または２に記載の組成物。
【請求項４】
中心環状酸素架橋環が７個の原子を含有する、請求項１〜３のいずれかに記載の組成物。
【請求項５】
式（Ｉ）で示される少なくとも１種の化合物が式（ＩＩ）、（ＩＩＩ）、（ＩＶ）：
【化２】
2009537684.tif 000002
で示される化学成分から選択される、請求項３に記載の組成物。
【請求項６】
エポキシ樹脂が一般式（Ｖ）：
【化３】
2009537684.tif 000003
［式中、Ｄは酸素または
【化４】
2009537684.tif 000004
を意味し、
Ｒ９は、１〜１８個の炭素原子を含有する直鎖または分枝アルキル基、４〜１２個の炭素原子を含有する芳香族または複素芳香族基、下記構造：
【化５】
2009537684.tif 000005
｛ここで、基中のＲ１０は全て、同じまたは異なっており、独立して水素またはＣ１〜４アルキル基を意味し；
ｏは０または１であり；
Ｅは、炭素−炭素単結合およびＣＲ１１２（ここで、Ｒ１１は、同じまたは異なっており、独立して水素またはＣ１〜４アルキル基を意味する。）からなる群から選択され；
Ｄは
【化６】
2009537684.tif 000006
である。｝
を有する基からなる群から選択されるか；または
Ｒ９は、構造：Ｒ１２−ＳｉＲ１３Ｒ１４Ｒ１５
（ここで、Ｒ１３およびＲ１４は、同じまたは異なっており、各々、１〜６個の炭素原子を含有する直鎖または分枝アルコキシ基、或いはアリールオキシ基またはアラルキルオキシ基を意味し、
Ｒ１５は、Ｒ１３またはＲ１４と異なるかまたは同じであるか、或いは脂肪族基、アミノ基、ハロゲン、芳香族または複素芳香族基、芳香脂肪族または複素芳香脂肪族基であり、
Ｒ１２は、脂肪族、複素脂肪族、芳香脂肪族、複素芳香脂肪族、芳香族および複素芳香族基からなる群から選択される架橋基である。）
を有する基である。］
で示されるエポキシ成分（Ｖ）を含んでなる、請求項１〜５のいずれかに記載の組成物。
【請求項７】
エポキシ樹脂が、エポキシ成分全体に基づいて２０重量％〜１００重量％の多官能性エポキシ樹脂および５０重量％までの単官能性エポキシ樹脂を含んでなる、請求項１〜６のいずれかに記載の組成物。
【請求項８】
カチオン性化合物またはカチオン性化合物を形成できる化合物或いはそれらの混合物の群から選択される反応体が、
・ブレンステッド酸、好ましくは、トリフルオロメタンスルホン酸、ｐ−トルエンスルホン酸、カンファースルホン酸のようなスルホン酸、
・ルイス酸、好ましくは、ＢＸ３、ＡｌＸ３、ＰＸ５、ＴｉＸ４、ＦｅＸ３、ＺｎＸ２、ＳｎＸ４［ここで、ＸはＦ、Ｃｌ、ＢｒおよびＩから選択される。］のような金属ハロゲン化物、
・アルキル化剤、好ましくは、上記ブレンステッド酸のアルキルエステル、並びにヨウ化メチル、臭化ベンジルおよび臭化アリルのようなハロゲン化アルキル、
・シリル化剤、好ましくは、トリフルオロメタンスルホン酸トリメチルシリルエステルのような上記ブレンステッド酸のシリルエステル、
・オニウム塩、好ましくは、ホスホニウム塩Ｒ４Ｐ＋Ｙ−、スルホニウム塩Ｒ３Ｓ＋Ｙ−、およびヨードニウム塩Ｒ２Ｉ＋Ｙ−［ここで、Ｒは好ましくはアルキル基およびアリール基から選択され、Ｙ−は好ましくはＢＦ４−、ＰＦ６−およびＳｂＦ６−から選択される。］の群から選択されるオニウム塩
の群から選択される、請求項１〜７のいずれかに記載の組成物。
【請求項９】
エポキシ樹脂と、カチオン性化合物またはカチオン性化合物を形成できる化合物の群から選択される反応体とのモル比が４〜１００００、より好ましくは５０〜１０００の範囲である、請求項１〜８のいずれかに記載の組成物。
【請求項１０】
無機充填材、好ましくはシリカ粉末、粉末状金属酸化物および粉末状金属、または有機充填材、好ましくはゴム粒子および他のポリマー粒子の群から選択される追加成分を含んでなる、請求項１〜９のいずれかに記載の組成物。
【請求項１１】
硬化温度の範囲が０℃〜２５０℃、より好ましくは１００℃〜２００℃である、請求項１〜１０のいずれかに記載の組成物の硬化によって得られる共重合生成物。
【請求項１２】
エポキシ樹脂；および
カチオン性化合物またはカチオン性化合物を形成できる化合物或いはそれらの混合物の群から選択される反応体；
を含んでなる硬化性エポキシ組成物における収縮抑制剤としての、
式（Ｉ）：
【化７】
2009537684.tif 000007
［式中、Ｒ１およびＲ２は、相互に独立に、水素、或いは１〜２０個の炭素原子の鎖長を有する置換または非置換アルキル基であり；
Ｒａ〜Ｒｈは、相互に独立に、水素、置換または非置換アルキルまたはアリール、置換または非置換アルコキシ、或いはハロゲンから選択されるか、若しくはＲａ〜Ｒｄおよび／またはＲｅ〜Ｒｈから選択される２個の隣接する基Ｒは更なる芳香環を形成し；
Ｒ３は、酸素置換されていてよい１、２または３個の炭素原子数を有するアルキル架橋であり；中心環状酸素架橋環が少なくとも７個の原子を含有するならば、Ｒ３は存在せずに酸素とその酸素に隣接する芳香環との間に直接結合を生じ得；
Ｒ４は、
・酸素置換されていてよい１、２または３個の炭素原子数を有する置換または非置換アルキル架橋、
・酸素、
・硫黄、および酸化硫黄（＝ＳＯ、ＳＯ２）、
・水素或いは置換または非置換アルキルまたはアリールまたはアルコキシで置換された窒素
から選択され；
・中心環状酸素架橋環が少なくとも７個の原子を含有するならば、Ｒ４は存在せずに２個の芳香環の間に直接結合を生じ得る。］
で示される、少なくとも２個の芳香族中心およびその少なくとも２個の芳香族中心を結合する少なくとも１個の中心環状酸素架橋環を含有する、少なくとも１種の化合物の使用。
【請求項１３】
式（Ｉ）で示される少なくとも１種の芳香族化合物が式（ＩＩ）、（ＩＩＩ）、（ＩＶ）：
【化８】
2009537684.tif 000008
で示される化学成分から選択される、請求項１２に記載の使用。
【請求項１４】
シーラント、接着剤および／または被覆剤の調製における、並びにシーラント、接着剤および／または被覆剤としての、好ましくは電子チップボンディングおよび電子チップアンダーフィルへの、請求項１〜１０のいずれかに記載の硬化性組成物または請求項１１に記載の該組成物から得られる共重合生成物の使用。
【請求項１５】
シーラント、接着剤および／または被覆剤を、金属、シリケート、金属酸化物、コンクリート、木材、電子チップ材料、半導体材料および有機ポリマーを含んでなる群から選択される基材に適用し、その上でまたはそれらの間で硬化させることによる、請求項１４に記載の使用。